(57)【特許請求の範囲】
【請求項１】
冷凍、あるいは冷蔵空間内を区切る、合成樹脂からなる袋状体内部に、発泡体からなる板状の断熱材が収容された板状の中仕切りパネルであって、
開口部の周囲において外方に突出した外周部が形成された、合成樹脂からなる凹状収容体と、前記凹状収容体の外周部と熱溶着することによって、前記凹状収容体の前記開口部の開放面を塞ぐ、合成樹脂からなる蓋シートとで構成される袋状体と、
前記袋状体に接着剤で貼着することなく、前記凹状収容体の内部に収容された、発泡体からなる板状の断熱材と、を備え、
前記凹状収容体の内部に、板状の断熱材が収容、配置され、
前記凹状収容体の外周部と前記蓋シートの外周部とが熱溶着されることによって、前記凹状収容体の開放面が塞がれ、
かつ、前記凹状収容体の外周部と前記蓋シートの外周部とによって、前記凹状収容体から外方に突出して形成された、前記冷凍、あるいは冷蔵空間を構成する内壁面に沿って接する密接部が形成されていることを特徴とする中仕切りパネル。
【請求項２】
前記断熱材の外周縁に、接着材で貼着されることなく接して、前記収容体の内部に収容、配置された、Ｌ字形状の弾力性を有する合成樹脂部材を備え、
前記凹状収容体の内部に、前記板状の断熱材と弾力性を有する合成樹脂部材を収容、配置し、
前記蓋シートの外周部を、前記凹状収容体の外周部に熱溶着することによって前記凹状収容体の開放面を塞き、前記袋状体内部に前記断熱材及び前記Ｌ字形状の弾力を有する合成樹脂部材を収容したことを特徴とする請求項１記載の中仕切りパネル。
【請求項３】
前記凹状収容体及び蓋シートが塩化ビニールの合成樹脂からなり、
前記断熱材がポリエチレンを発泡させた発泡体からなり、
前記弾力性を有する合成樹脂部材がウレタンスポンジからなることを特徴する請求項１または請求項２記載の中仕切りパネル。
【請求項４】
前記凹状収容体の底面部には、プラスチックスからなる底面保護部材が取り付けられていることを特徴する請求項１乃至請求項３のいずれかに記載の中仕切りパネル。
【請求項５】
前記凹状収容体の底面部の一端部側には、水抜き用の孔が設けられていることを特徴する請求項１乃至請求項４のいずれかに記載の中仕切りパネル。
【発明の詳細な説明】
【技術分野】
【０００１】
この発明は、中仕切りパネルに関し、特に冷凍、冷蔵等の機能を有する車両の荷物室内を仕切る中仕切りパネル、あるいは冷凍庫内、冷蔵庫内を仕切る中仕切りパネルに関する。
【背景技術】
【０００２】
特許文献１において、この種の中仕切りパネルが提案されている。この提案された中仕切りパネルを図１１に基づいて説明する。尚、図１１は中仕切りパネルの右上端部の一部切欠いた一部切欠き図である。
このパネル１００は、パネル本体１００Ａと、前記パネル本体１００Ａの外周部に設けられたシール部材１００Ｂとから構成されている。
【０００３】
前記パネル本体１００Ａは、全体として矩形の板状に形成されている。そして、このパネル本体１００Ａは、ポリエチレンの独立発泡体１０１と、この独立発泡体１０１の両面に貼着された、リブ構造を有するポリエチレン製の中空樹脂体１０２と、この中空樹脂体１０２の更に外表面側に貼着されるポリエチレン等の合成樹脂発泡シート１０３と、更に外表面側に貼着されるＰＶＣターポリン等の合成樹脂シート１０４と、から成る積層構造を有している。
【０００４】
また、シール部材１００Ｂは、ウレタンスポンジ１０５と、このウレタンスポンジ１０５の表面を覆う伸縮性に富んだ基布１０６とから構成されている。前記基布１０６は、伸縮性有するニット布１０７と、このニット布１０７の内面側に貼着されるポリウレタンフィルム１０８と、をから成る積層構造を有している。このシール部材１００Ｂに優れた弾力性を付与することで、荷物室の内壁面に対する中仕切りパネル１００の保密性が確保される。
【先行技術文献】
【特許文献】
【０００５】
【特許文献１】特開２００８−２０１１７４号公報
【発明の概要】
【発明が解決しようとする課題】
【０００６】
ところで、特許文献１に示された中仕切りパネル１００は、独立発泡体１０１に対して、中空樹脂体１０２が接着剤等で貼着され、更に、中空樹脂体１０２に対して合成樹脂発泡シート１０３が貼着され、更に合成樹脂発泡シート１０３の外表面側に合成樹脂シート１０４が貼着されている。
この貼着する際に用いられる接着剤には溶剤が含まれており、前記中仕切りパネル、特に新規に製作した中仕切りパネルを使用した際、前記溶剤が気化し、搬送中の生鮮食料品等に悪影響を及ぼす虞があるという課題があった。
【０００７】
また、気化した前記溶剤が中仕切りパネル本体１００Ａの外周縁に配置されたウレタンスポンジ１０６に作用し、前記ウレタンスポンジ１０６を硬化させ、柔軟性が喪失するという課題があった。
このようにウレタンスポンジ１０６の柔軟性が喪失すると、荷物室の内壁面に対応したウレタンスポンジ１０６の変形が困難となり、中仕切りパネル１００の保密性が悪化するという課題が生じる虞があった。
【０００８】
これを解決する方法として、例えば、図１２に示すように、中仕切りパネル本体１００Ａの端面を合成樹脂シート１０４で包囲し、一方、ウレタンスポンジ１０５を基布１０６で覆い包むことにより、シール部材１００Ｂを形成する。
そして、シール部材１００Ｂを面ファスナ１１０で、中仕切りパネル本体１００Ａの外周面に取付けることが考えられる。
【０００９】
しかしながら、この方法においても、中仕切りパネル本体１００Ａの内部を構成する独立発泡体１０１、中空樹脂体１０２、合成樹脂発泡シート１０３、合成樹脂シート１０４は接着剤により貼着されるため、前記溶剤が気化し、搬送中の生鮮食料品等に悪影響を及ぼす虞があるという課題は払拭することができないものであった。
また、シール部１０６を別体に形成し、パネル本体１００Ａの外周面に取り付けるため、コストが嵩むという新たな課題を招来するものであった。
【００１０】
本発明は、前記したような事情の下になされたものであり、パネル構成部材を貼着する際用いられる接着剤の溶剤の生鮮食料品等に対する影響を抑制すると共に、冷凍、あるいは冷蔵空間を構成する内壁面との保密性を向上した中仕切りパネルを提供することを目的とするものである。
【課題を解決するための手段】
【００１１】
前記した課題を解決するためになされた本発明にかかる中仕切りパネルは、冷凍、あるいは冷蔵空間内を区切る、合成樹脂からなる袋状体内部に、発泡体からなる板状の断熱材が収容された板状の中仕切りパネルであって、開口部の周囲において外方に突出した外周部が形成された、合成樹脂からなる凹状収容体と、前記凹状収容体の外周部と熱溶着することによって、前記凹状収容体の前記開口部の開放面を塞ぐ、合成樹脂からなる蓋シートとで構成される袋状体と、前記袋状体に接着剤で貼着することなく、前記凹状収容体の内部に収容された、発泡体からなる板状の断熱材と、を備え、前記凹状収容体の内部に、板状の断熱材が収容、配置され、前記凹状収容体の外周部と前記蓋シートの外周部とが熱溶着されることによって、前記凹状収容体の開放面が塞がれ、かつ、前記凹状収容体の外周部と前記蓋シートの外周部とによって、前記凹状収容体から外方に突出して形成された、前記冷凍、あるいは冷蔵空間を構成する内壁面に沿って接する密接部が形成されていることを特徴としている。
【００１２】
このように、接着剤で貼着することなく、前記凹状収容体の内部に板状の断熱材を収容し、前記凹状収容体の開放面を、蓋シートの外周部と前記凹状収容体の外周部とを熱溶着することによって塞ぐことによって、中仕切りパネルを形成している。
即ち、中仕切りパネルを形成する際、接着材を用いることなく製作されるため、接着剤の溶剤の生鮮食料品等に対する影響を抑制することができる。
特に、前記袋状体が、合成樹脂からなる凹状収容体と、前記凹状収容体の開放面を塞ぐ、合成樹脂からなる蓋シートで構成され、前記凹状収容体に前記板状の断熱材が収容されるため、前記断熱材の袋状体内部での位置づれが防止される。
また、前記凹状収容体の外周部と前記蓋シートの外周部とが熱溶着されることにより、前記凹状収容体の開放面は塞がれ、かつ前記凹状収容体の外周部と前記蓋シートの外周部により、凹状収容体から外方に突出した密接部が形成される。
このように、凹状収容体から外方に突出した密接部が形成されている場合には、前記密接部が、例えば、荷物室の内壁面に沿って接するため、より保密性を向上させることができる。
【００１３】
ここで、前記断熱材の外周縁に、接着材で貼着されることなく接して、前記収容体の内部に収容、配置された、Ｌ字形状の弾力性を有する合成樹脂部材を備え、前記凹状収容体の内部に、前記板状の断熱材と弾力性を有する合成樹脂部材を収容、配置し、前記蓋シートの外周部を、前記凹状収容体の外周部に熱溶着あるいは縫製することによって前記凹状収容体の開放面を塞き、前記袋状体内部に前記断熱材及び前記Ｌ字形状の弾力性を有する合成樹脂部材を収容したことが望ましい。
【００１４】
このように、断熱材の外周縁に、Ｌ字形状の弾力性を有する合成樹脂部材を、接着材で貼着されることなく接して、前記収容体の内部に収容、配置することにより、例えば、荷物室の内壁面の形状に沿って、Ｌ字形状の弾力性を有する合成樹脂部材が変形するため、保密性を向上させることができる。
しかも、断熱材の外周縁に、Ｌ字形状の弾力性を有する合成樹脂部材を、接着材で貼着されることなく接して、前記収容体の内部に収容、配置されるため、Ｌ字形状の弾力性を有する合成樹脂部材は接着剤の溶剤の影響を受けることがなく、接着剤の溶剤による硬化が抑制され（柔軟性が維持され）、前記保密性が維持される。
【００１６】
また、前記凹状収容体及び蓋シートが塩化ビニールの合成樹脂からなり、前記断熱材がポリエチレンを発泡させた発泡体からなり、前記弾力性を有する合成樹脂部材がウレタンスポンジからなることが望ましい。
【００１７】
このように、前記凹状収容体及び蓋シートが塩化ビニールの合成樹脂からなる場合には、両者を熱溶着で密着させることができ、前記袋状体内部を密閉することができる。
また、前記断熱材がポリエチレンを発泡させた発泡体からなる場合には、伝熱を妨げ、有効な断熱効果を得ることができる。
更に、弾力性を有する合成樹脂部材がウレタンスポンジからなる場合には、例えば、荷物室の内壁面に沿って変形するため、保密性をより向上させることができる。しかも、袋状体内において接着剤が用いられていないため、ウレタンスポンジの硬化が抑制され、前記保密性が維持される。
【００１８】
また、前記凹状収容体の底面部には、プラスチックスからなる底面保護部材が取り付けられていることが望ましい。
前記凹状収容体の底面部は、例えば、荷物室に取り付けた際、床面と接し、摺動することにより、損傷を受け易い。このように、底面保護部材が取り付けられていることにより、中仕切りパネルの耐久性を向上させることができる。
【００１９】
また、前記凹状収容体の底面部の一端部側には、水抜き用の孔が設けられていることが望ましい。
このように、水抜き用の孔が設けられているため、袋状体内に侵入した水を外部に排出することができる。
しかも、凹状収容体の底面部の一端部側に水抜き用の孔が設けられているため、例えば、荷物室に取り付けた際、荷物室の内壁面に沿って、水抜き用の孔から排出された水を流すことができ、車両に搭載された荷物が前記水に浸かるのを防止することができる。
【発明の効果】
【００２０】
本発明によれば、パネル構成部材を貼着する際用いられる接着剤の溶剤の生鮮食料品等に対する影響を抑制すると共に、冷凍、あるいは冷蔵空間を構成する内壁面との保密性を向上した中仕切りパネルを得ることができる。
【図面の簡単な説明】
【００２１】
【図１】図１は、本発明にかかる中仕切りパネルの一実施形態であり、車両の荷物室内に装着された状態を示す透視図である。
【図２】図２は、図１に示す車両の後方から見た図である。
【図３】図３は、図１に示す中仕切りパネルを示す図であって、（ａ）は正面図、（ｂ）は側面図である。
【図４】図４は、図３に示す中仕切りパネルの裏面を示す図である。  ひ
【図５】図５は、中仕切りパネルの内部に収容される断熱材及び断熱材の外縁に配置される弾力性を有する合成樹脂部材を示す図であって、（ａ）が正面図、（ｂ）が側面図である。
【図６】図６は、中仕切りパネルの一部断面図である。
【図７】図７は、中仕切りパネル底面部の一部拡大図である。
【図８】図８は、本発明にかかる中仕切りパネルの製造方法を示す工程図である。
【図９】図９は、本発明にかかる中仕切りパネルの第１の変形例を示す断面図である。
【図１０】図１０は、本発明にかかる中仕切りパネルの第２の変形例を示す図であって、（ａ）は（ｂ）に示されたＩ−Ｉ断面図、（ｂ）は斜視図である。
【図１１】図１１は、従来の中仕切りパネルを示す一部断面図である。
【図１２】図１２は、図１１に示した従来の中仕切りパネルの課題の一部を解決した形態を示す図である。
【発明を実施するための形態】
【００２２】
以下、本発明の一実施形態について、図１乃至図８に基づいて説明する。尚、この実施形態の説明においては、車両の荷物室が冷凍室及び常温室からなり、本発明にかかる中仕切りパネルがこれら二つの室を中仕切りするのに用いられる場合を例にとって説明する。
【００２３】
図１、図２に示すように、トラック１の荷物室２は中空直方体に形成され、その側壁２Ｂ、２Ｃには、トラック１の前後方向に延在するラッシングレール３が、上下に間隔を空けて夫々２本で設けられている。
このラッシングレール３は、後述するラッシングベルトの端部を係止する役割を担うものであって、前記ベルトの端部を係止するための係止部３ａがラッシングレール３の延在方向に所定の間隔を空けて複数並設される。また、この荷物室２の後端には、荷物室２を保密状態とせしめる一対の荷物室扉４が設けられている。
【００２４】
図１、２に示すように、前記荷物室２は、中仕切りパネル１０の存在により中仕切りされる。この中仕切りパネル１０は、荷物室２内の左右に配置される２枚の中仕切りパネル２０，３０によって、荷物室２の空間を分割する。
尚、図２において、符号２Ａは荷物室２を形成するバンボディの天井部、符号２Ｂ，２Ｃは荷物室２を形成するバンボディの左右側壁部、符号２Ｄは荷物室２を形成するバンボディの床部を示している。
【００２５】
また、中仕切りパネル２０，３０には、パネルの表面に沿って配され、その両端が前記荷物室２の側壁部２Ｂ，２Ｃに形成される係止部３ａに係止されるラッシングベルト（パネル固定用ベルト）２１ａ，２１ｂ，３１ａ，３１ｂが取り付けられている。
このラッシングベルト２１ａ，２１ｂ，３１ａ，３１ｂは、中仕切りパネル２０，３０に設けられたベルト挿通金具２２、３２を挿通し、水平方向に取り付けられている。また、中仕切りパネル２０，３０のラッシングベルト（パネル固定用ベルト）２１ａ，２１ｂ，３１ａ，３１ｂは、その一端部に設けられた連結具４０により連結され、前記一対の中仕切りパネル２０，３０は荷物室２に取付け、固定される。
【００２６】
更に、中仕切りパネル２０，３０について詳しく説明する。尚、中仕切りパネル２０，３０は、左右逆の関係にあるが、基本的には同一の構成であるため、ここでは中仕切りパネル２０について説明し、中仕切りパネル３０については、その詳細な説明を省略する。
【００２７】
前記中仕切りパネル２０は、図３、図４に示すように、直方体に形成された荷物室２内の空間を分割するための部材であるから、荷物室２を構成するバンボディの天井部２Ａ、左右側壁部２Ｂ，２Ｃ、床部２Ｄに対する保密性を確保する観点から矩形形状の板状に構成される。
【００２８】
前記中仕切りパネル２０は、図６、図８（ｂ）に示すように、塩化ビニール等の合成樹脂からなる凹状収容体２３と、前記凹状収容体２３の開放面を塞ぐ、塩化ビニール等の合成樹脂からなる蓋シート２４で構成される袋状体２５を備えている。
【００２９】
また図３乃至図５に示すように、前記中仕切りパネル２０は、前記袋状体２５に接着剤で貼着することなく、前記袋状体２５の内部に収容された、ポリエチレンを発泡させた発泡体等からなる板状の断熱材４１と、前記断熱材４１の外周縁に、接着剤で貼着されることなく接して、前記袋状体２５の内部に収容、配置された、Ｌ字形状の弾力性を有する合成樹脂部材４２とを備えている。
【００３０】
前記断熱材４１は、仕切られる空間の間の熱伝熱を抑制するもので、例えば、ポリエチレンを発泡させた板状の発泡体２１を用いることができるが、他の部材であっても良い。
また、前記断熱材４１は、特許文献１に示されたような、ポリエチレンの独立発泡体と、この独立発泡体の両面にリブ構造を有するポリエチレン製の中空樹脂体を配置し、この中空樹脂体の更に外表面側にポリエチレン等の合成樹脂発泡シートを配置した積層構造体であっても良い。
この場合、各構成部材間は接着剤等で貼着されることなく、積層されたものが用いられる。
【００３１】
また、Ｌ字形状の弾力性を有する合成樹脂部材４２は、例えば、ウレタンスポンジ等の弾力性を有する合成樹脂部材から形成されている。
前記合成樹脂部材４２は、荷物室２の天井部２Ａ，側壁部２Ｂ，２Ｃの形状に対応して変形し、天井部２Ａ，側壁部２Ｂ，２Ｃに対する保密性をより確実なものとするシール部材として機能する。
尚、床部２Ｄは、前記底面部保護部材２６が床部２Ｄと接し、中仕切りパネル２０の底面部の保密性が確保される。
【００３２】
前記Ｌ字形状の弾力性を有する合成樹脂部材４２は、前記したように断熱材４１の外周縁に、接着剤等を用いて貼着されることなく、単に当接しているに過ぎない。
即ち、前記断熱材４１と弾力性を有する合成樹脂部材４２は、接着剤等を用いて貼着されることなく、前記袋状体２５（凹状収容体２３）に収容されることにより、一定の配置関係が維持されるように構成されている。
【００３３】
また、図３、図６に示すように、前記中仕切りパネル２０の裏面側（蓋シート側）の外周部には、前記中仕切りパネル２０側面部より外方に突出する密接部２７が形成されている。
この密接部２７は、前記中仕切りパネル２０を構成する蓋シート２４パネル２０側面部より外方に突出することにより形成される。
即ち、図６に示すように、この密接部２７は、パネル２０側面部より外方に突出した前記蓋シート２４の外周部２４ａを、前記凹状収容体２３の上端部から外方に突出した前記凹状収容体２３の外周部２３ａに熱溶着することによって形成される。
【００３４】
また、前記中仕切りパネル２０の底面部には、前記中仕切りパネル２０の底面部を保護するために、プラスチックスからなる底面保護部材２６が取り付けられている。
この底面保護部材２６は断面がコ字状に形成され、中仕切りパネル２０の表面の下端部、底面部、裏面の下端部に取り付けられている。
この底面保護部材２６は、長年使用すると傷むため、交換可能に中仕切りパネル２０に、螺子等の固定具により取り付けられるのが好ましい。
【００３５】
更に、図７に示すように、底面保護部材２６の取り付けられていない、中仕切りパネル２０の底面部のバンボディの右側壁部側には、水抜き用の孔２８が複数設けられている。
即ち、前記中仕切りパネル２０の底面部は、バンボディの中央部から左側壁側に向けて底面保護部材２６が取り付けられ、底面部を保護されると共に、底面保護部材２６からバンボディの左側壁部の間に、水抜き用の孔２８が設けられ、中仕切りパネル２０内部に侵入した水を排出できるように構成されている。
尚、同様に、中仕切りパネル３０の底面部のバンボディの右側壁部側には、水抜き用の孔が設けられている。
【００３６】
このように、水抜き用の孔２８をバンボディの右左側壁部側近傍に設け、排出された水が床部２Ｄの左右両側を流れるように構成することにより、積載した荷物が水に浸される虞が少なくなり、より好ましい。
【００３７】
次に、前記中仕切りパネルの製造方法について、図８に基づいて説明する。
先ず、袋状体２５を製作する。図８（ａ）に示すように、袋状体２５は、１枚の塩化ビニール等の合成樹脂シートを用意し、凹状収容体２３を形成する。この凹状収容体２３は、塩化ビニール等の合成樹脂シートを熱プレス等加熱することにより形成することができる。
尚、凹状収容体２３を形成する前のシート状態において、穿孔し、水抜き用の孔２８が形成される。
【００３８】
前記凹状収容体２３は、図８（ｂ）に示すように、所定の深さを有する凹部２３ｂを備えている。この凹部２３ｂの深さは、この凹部２３ｂに収容される断熱材４１及び弾力性を有する合成樹脂部材４２の厚さと略同一の寸法に形成される。
また、前記凹部２３ｂの開放面は、凹部２３ｂに収容される断熱材４１及び弾力性を有する合成樹脂部材４２の縦寸法、横寸法と略同一の寸法に形成される。
【００３９】
また、凹状収容体２３の上端部に、凹状収容体２３の上端部から外方に突出する外周部２３ａを形成される。この外周部２３ａは、蓋シート２４が熱溶着されることにより、後に述べる密接部１０ａを形成することができる。
【００４０】
次に、図８（ｃ）に示すように、断熱材４１と弾力性を有する合成樹脂部材４２を、前記凹状収容体２３に収容する。
この際、凹部２３ｂの形状、寸法が、前記断熱材４１と弾力性を有する合成樹脂部材４２の形状、寸法と略同一に形成されているため、前記凹部２３ｂ内に位置づれすることなく、断熱材４１と弾力性を有する合成樹脂部材４２を収容することができる。
【００４１】
そして、図８（ｄ）に示すように、断熱材４１と弾力性を有する合成樹脂部材４２が収容された前記凹状収容体２３の開放面を、前記凹状体と同一の材質からなる蓋シート２４で覆い、前記蓋シート２４の外周部と凹状収容体２３の外周部を熱溶着し、前記凹状体内部を密閉する。
このようにして袋状体２５内部に、断熱材４１と弾力性を有する合成樹脂部材４２が収容された中仕切りパネル２０が形成される。
尚、中仕切りパネル２０として完成させるためには、更に、底面保護部材２６、ラッシングベルト（パネル固定用ベルト）２１ａ，２１ｂ等が取り付けられる。
【００４２】
次に、本発明にかかる中仕切りパネルの第１の変形例を、図９に基づいて説明する。
上記実施形態にあっては、前記断熱材４１として、単体として、板状の発泡体を用いた場合について説明したが、前記板状の発泡体の間に、板状の硬質の合成樹脂体（芯材）４３を挟むようになしても良い。
このように、硬質の合成樹脂材（芯材）４３を挟むことにより、前記断熱材全体の強度が増し、より好ましい。
【００４３】
次に、本発明にかかる中仕切りパネルの第２の変形例を、図１０に基づいて説明する。
上記実施形態にあっては、断熱材４１と弾力性を有する合成樹脂部材４２を前記凹状収容体２３に収容した後、断熱材４１と弾力性を有する合成樹脂部材４２が収容された前記凹状収容体２３の開放面を蓋シート２４で覆い、前記蓋シート２４と凹状収容体２３の外周部を熱溶着し、前記凹状収容体２３の内部を密閉していた。
【００４４】
この第２の変形例は、前記凹状収容体２３の開放面を蓋シート２４で覆い、前記蓋シート２４と凹状収容体２３を縫製した点に特徴がある。図中、符号４４が縫製した部分である。
また、図１０（ａ）に示すように縫製する際、凹状収容体２３の外周部２３ａは内側に折り込まれることにより縫製される。即ち、外周部２３ａを外側に折り曲げて縫製すると、長年使用していると凹状収容体２３の形状が崩れ、断熱材４１と弾力性を有する合成樹脂部材４２が位置づれを起こし、好ましくない。
また、図１０（ｂ）に示すように、前記蓋シート２４を凹状収容体２３よりも大きく形成し、凹状収容体２３の外周部２３ａを外側に折り曲げ、前記蓋シート２４と共に縫製することにより、凹状収容体２３の一側辺から突出した密接部２７を形成しても良い。
また、前記密接部２７は、図１０（ｂ）に示すように、凹状収容体２３の一側辺に形成する場合に限らず、隣接する側辺から突出してＬ字状に形成しても良い。また、凹状収容体２３の四つの辺から突出して形成しても良い。
【００４５】
尚、上記実施形態の説明にあっては、冷凍、冷蔵等の機能を有する車両の荷物室内を仕切る中仕切りパネルを例にとって説明したが、本発明はこれに限定されるものではなく、例えば、冷凍庫内、冷蔵庫内を仕切る中仕切りパネルにも適用することができる。
【符号の説明】
【００４６】
１          トラック
２          荷物室
１０        中仕切りパネル
２０、３０  中仕切りパネル
２３        凹状収容体
２３ａ      凹状収容体の外周部
２４        蓋シート
２４ａ      蓋シートの外周部
２５        袋状体
２６        底面部保護部材
２７        密接部
２８        水抜き用の孔
４１        断熱材
４２        弾力性を有する合成樹脂部材
４３        硬質の合成樹脂材
【要約】
【課題】パネル構成部材を貼着する際用いられる接着剤の溶剤の生鮮食料品等に対する影響を抑制すると共に、パネル外周縁に配置される、弾力を有する合成樹脂材の接着剤の溶剤による硬化を抑制した中仕切りパネルを提供する。
【解決手段】接着剤で貼着することなく、前記凹状収容体２３の内部に、板状の断熱材４１を収容、配置し、前記蓋シート２４の外周部２４ａを、前記凹状収容体２３の外周部２３ａに熱溶着あるいは縫製することによって前記凹状収容体２３の開放面を塞き、前記袋状体２５内部に前記断熱材４１を収容した。
【選択図】図６【図１】
0005593431.tif 000002
【図２】
0005593431.tif 000003
【図３】
0005593431.tif 000004
【図４】
0005593431.tif 000005
【図５】
0005593431.tif 000006
【図６】
0005593431.tif 000007
【図７】
0005593431.tif 000008
【図８】
0005593431.tif 000009
【図９】
0005593431.tif 000010
【図１０】
0005593431.tif 000011
【図１１】
0005593431.tif 000012
【図１２】
0005593431.tif 000013